(57)【要約】【課題】コンパクトな構成で、２つの意匠の選択的な表示を効果的に実現することができる入力装置を提供する。【解決手段】入力装置１００は、押圧により切替えるスイッチ１５１〜１５４と、第１光源１６１ａと、第２光源１６１ｂと、を有する光源１６１と、光源から発光された光を導く導光体１２１と、を備え、導光体１２１は、光を出射する出射部１３１と、出射部１３１に接続され、第１光を出射部１３１に導く第１導光脚部１３２と、出射部１３１に接続され、第２光を出射部１３１に導く第２導光脚部１３３と、を有し、出射部１３１は、第１光を反射することで発光する第１意匠１４１と、第２光を反射することで発光する第２意匠１４２と、を有し、第１導光脚部１３２は、第１光を反射する第１反射面１３４を有し、第２導光脚部１３３は、第２光を反射する第２反射面１３５を有し、第１導光脚部１３２と第２導光脚部１３３とは、略同一面上に配置される。【選択図】図１０
2018056008.tif 000002
【特許請求の範囲】
【請求項１】
押圧されることによりオンオフが切替えられるスイッチと、
第１光源と、前記第１光源と異なる位置に配置される第２光源と、を有する光源と、
前記光源から発光された光を、前記スイッチの押圧方向とは反対方向に向けて光を導く導光体と、を備え、
前記導光体は、
前記スイッチの前記反対方向側に設けられ、前記光源により発光された光を前記反対方向に向けて出射する出射部と、
前記出射部に接続され、前記第１光源により発光された第１光を前記出射部に導く第１導光脚部と、
前記出射部に接続され、前記第２光源により発光された第２光を前記出射部に導く第２導光脚部と、を有し、
前記出射部は、前記第１光を前記反対方向側に向けて反射することで発光する第１意匠と、前記第２光を前記反対方向側に向けて反射することで発光する第２意匠と、を有し、
前記第１導光脚部は、板状の部位であり、前記第１導光脚部の厚み方向に平行な第１反射面であって、前記第１光を反射する第１反射面を有し、
前記第２導光脚部は、板状の部位であり、前記第２導光脚部の厚み方向に平行な第２反射面であって、前記第２光を反射する第２反射面を有し、
前記第１導光脚部と前記第２導光脚部とは、略同一面上に配置される
入力装置。
【請求項２】
前記第１反射面は、前記押圧方向から見て、当該押圧方向に傾いて配置される、前記第１導光脚部の側面であり、
前記第２反射面は、前記押圧方向から見て、当該押圧方向に傾いて配置される、前記第２導光脚部の側面である
請求項１に記載の入力装置。
【請求項３】
前記第１反射面は、前記第１光源の前記反対方向側に配置され、
前記第２反射面は、前記第２光源の前記反対方向側に配置される
請求項１または２に記載の入力装置。
【請求項４】
前記第１光が前記第１意匠に入射する第１方向と、前記第２光が前記第２意匠に入射する第２方向とは、互いに交差している
請求項１から３のいずれか１項に記載の入力装置。
【請求項５】
前記出射部は、平板状の部位であり、
前記第１導光脚部及び前記第２導光脚部は、前記出射部に対して所定の角度で曲がっている部分により接続されている
請求項１から４のいずれか１項に記載の入力装置。
【請求項６】
前記第１意匠と前記第２意匠との少なくとも一部は、互いに重なるように形成されている
請求項１から５のいずれか１項に記載の入力装置。
【請求項７】
前記出射部は、
前記第１光が前記第１意匠に入射する第１方向の延長線上に配置され、かつ、前記第１方向に交差し、かつ、前記第１方向側が外部に開放されている第１段差面と、
前記第２光が前記第２意匠に入射する第２方向の延長線上に配置され、かつ、前記第２方向に交差し、かつ、前記第２方向側が外部に開放されている第２段差面と、を有する
請求項１から６のいずれか１項に記載の入力装置。
【請求項８】
前記出射部は、
前記第１方向及び前記第２方向に交差する第３方向に、複数の前記第１段差面と複数の前記第２段差面とが交互に並んで配置されている
請求項７に記載の入力装置。
【請求項９】
前記第１段差面及び前記第２段差面は、黒色に着色されている
請求項７または８に記載の入力装置。
【請求項１０】
前記スイッチと、前記第１光源と、前記第２光源とは、同一の配線基板に実装されている
請求項１から８のいずれか１項に記載の入力装置。
【発明の詳細な説明】
【技術分野】
【０００１】
本発明は、入力装置に関する。
【背景技術】
【０００２】
従来、光源が発した光を導光させることで、スイッチノブの表示操作部に表示意匠を表示させる照光表示入力装置が知られている（特許文献１参照）。
【先行技術文献】
【特許文献】
【０００３】
【特許文献１】特開２０１３−２５４５９７号公報
【発明の概要】
【発明が解決しようとする課題】
【０００４】
ところで、スイッチの操作の対象となる部位の表面に、異なる形状を有する２つの意匠のうちの１つを選択的に表示させるニーズがあるが、特許文献１の技術では、２つの意匠のうちの１つを選択的に表示させることはできない。また、２つの意匠のうちの１つを選択的に表示させようとすれば、構成が複雑になり大きくなってしまうという課題がある。
【０００５】
そこで、本発明は、コンパクトな構成で、２つの意匠の選択的な表示を効果的に実現することができる入力装置を提供する。
【課題を解決するための手段】
【０００６】
本発明の一態様に係る入力装置は、押圧されることによりオンオフが切替えられるスイッチと、第１光源と、前記第１光源と異なる位置に配置される第２光源と、を有する光源と、前記光源から発光された光を、前記スイッチの押圧方向とは反対方向に向けて光を導く導光体と、を備え、前記導光体は、前記スイッチの前記反対方向側に設けられ、前記光源により発光された光を前記反対方向に向けて出射する出射部と、前記出射部に接続され、前記第１光源により発光された第１光を前記出射部に導く第１導光脚部と、前記出射部に接続され、前記第２光源により発光された第２光を前記出射部に導く第２導光脚部と、を有し、前記出射部は、前記第１光を前記反対方向側に向けて反射することで発光する第１意匠と、前記第２光を前記反対方向側に向けて反射することで発光する第２意匠と、を有し、前記第１導光脚部は、板状の部位であり、前記第１導光脚部の厚み方向に平行な第１反射面であって、前記第１光を反射する第１反射面を有し、前記第２導光脚部は、板状の部位であり、前記第２導光脚部の厚み方向に平行な第２反射面であって、前記第２光を反射する第２反射面を有し、前記第１導光脚部と前記第２導光脚部とは、略同一面上に配置される。
【発明の効果】
【０００７】
本発明の入力装置では、コンパクトな構成で、２つの意匠の選択的な表示を効果的に実現することができる。
【図面の簡単な説明】
【０００８】
【図１】実施の形態に係るステアリング入力装置が配置された車両の車室の一例を示す図である。
【図２】実施の形態に係るステアリング入力装置の使用例を示す図である。
【図３】実施の形態に係る入力装置の外観斜視図である。
【図４】実施の形態に係る入力装置を前側から見た正面図である。
【図５】実施の形態に係る入力装置の分解斜視図である。
【図６】図４のＶＩ−ＶＩ断面図である。
【図７】図４のＶＩＩ−ＶＩＩ断面図である。
【図８】図４のＶＩＩＩ−ＶＩＩＩ断面図である。
【図９】図４のＩＸ−ＩＸ断面図である。
【図１０】第１意匠が表示されているときの導光体をＺ軸方向プラス側から見た正面図である。
【図１１】第１意匠が表示されているときの第１導光体と第１光源及び第２光源との関係を示す斜視図である。
【図１２】第２意匠が表示されているときの導光体をＺ軸方向プラス側から見た正面図である。
【図１３】第２意匠が表示されているときの第１導光体と第１光源及び第２光源との関係を示す斜視図である。
【図１４】第１光源及び第２光源から発光された光の、第１導光体の出射部における経路を説明するための図である。
【図１５】出射部のうちの第１意匠の一部を拡大した図である。
【図１６】第１導光脚部と第２導光脚部とが略同一面上に配置されていない構成の導光体と、第１光源及び第２光源との関係を示す図である。
【図１７】導光体及び筐体までの距離Ｗ２と第２導光体及び筐体までの距離Ｗ１とを比較するための図である。
【発明を実施するための形態】
【０００９】
本発明の一態様に係る入力装置は、押圧されることによりオンオフが切替えられるスイッチと、第１光源と、前記第１光源と異なる位置に配置される第２光源と、を有する光源と、前記光源から発光された光を、前記スイッチの押圧方向とは反対方向に向けて光を導く導光体と、を備え、前記導光体は、前記スイッチの前記反対方向側に設けられ、前記光源により発光された光を前記反対方向に向けて出射する出射部と、前記出射部に接続され、前記第１光源により発光された第１光を前記出射部に導く第１導光脚部と、前記出射部に接続され、前記第２光源により発光された第２光を前記出射部に導く第２導光脚部と、を有し、前記出射部は、前記第１光を前記反対方向側に向けて反射することで発光する第１意匠と、前記第２光を前記反対方向側に向けて反射することで発光する第２意匠と、を有し、前記第１導光脚部は、板状の部位であり、前記第１導光脚部の厚み方向に平行な第１反射面であって、前記第１光を反射する第１反射面を有し、前記第２導光脚部は、板状の部位であり、前記第２導光脚部の厚み方向に平行な第２反射面であって、前記第２光を反射する第２反射面を有し、前記第１導光脚部と前記第２導光脚部とは、略同一面上に配置される。
【００１０】
これによれば、光を反射することで発光する第１意匠及び第２意匠について、それぞれ、対応する意匠に光を導く第１導光脚部及び第２導光脚部と、対応する導光脚部に光を発光する第１光源及び第２光源とを設けている。このため、第１光源及び第２光源のうちのいずれかを選択的に発光させることにより、２つの意匠である第１意匠及び第２意匠を選択的に表示させることができる。
【００１１】
また、第１導光脚部と第２導光脚部とは、略同一面上に配置されているため、第１導光脚部及び第２導光脚部が、例えば、導光体の外側に配置される筐体の壁に対して平行な姿勢となるように、導光体を配置することができる。また、この場合、さらに、第１導光脚部から筐体の壁までの距離と、第２導光脚部から筐体の壁までの距離とを略等しくなるように導光体を配置することができる。よって、出射部の位置を筐体の壁に近づけることができ、例えば筐体の構成をコンパクトにすることができる。よって、入力装置の構成をコンパクトにすることができる。
【００１２】
また、前記第１反射面は、前記押圧方向から見て、当該押圧方向に傾いて配置される、前記第１導光脚部の側面であり、前記第２反射面は、前記押圧方向から見て、当該押圧方向に傾いて配置される、前記第２導光脚部の側面であってもよい。
【００１３】
このため、出射部に進入した第１光の光路と、第２光の光路とを交差した状態とすることが容易にできる。このため、第１光が第２意匠に反射されること、または、第２光が第１意匠に反射されることを低減することができる。つまり、対応していない光を反射することによって、表示させようとしていない別の意匠がわずかに表示されてしまうことを低減することができる。
【００１４】
また、前記第１反射面は、前記第１光源の前記反対方向側に配置され、前記第２反射面は、前記第２光源の前記反対方向側に配置されてもよい。
【００１５】
このため、出射部に進入した第１光の光路と、第２光の光路とを交差した状態とすることが容易にできる。
【００１６】
また、前記第１光が前記第１意匠に入射する第１方向と、前記第２光が前記第２意匠に入射する第２方向とは、互いに交差していてもよい。
【００１７】
これによれば、第１方向と第２方向とは互いに交差しているため、第１光が第２意匠に反射されること、または、第２光が第１意匠に反射されることを低減することができる。つまり、対応していない光を反射することによって、表示させようとしていない別の意匠がわずかに表示されてしまうことを低減することができる。
【００１８】
また、前記出射部は、平板状の部位であり、前記第１導光脚部及び前記第２導光脚部は、前記出射部に対して所定の角度で曲がっている部分により接続されていてもよい。
【００１９】
このため、例えば、第１光源と第２光源とを同一の基板の一方の主面に実装している場合であっても、容易に第１光及び第２光を出射部に導くことができる。
【００２０】
また、前記第１意匠と前記第２意匠との少なくとも一部は、互いに重なるように形成されていてもよい。
【００２１】
このため、出射部の構成をコンパクトにすることができる。
【００２２】
また、前記出射部は、前記第１光が前記第１意匠に入射する第１方向の延長線上に配置され、かつ、前記第１方向に交差し、かつ、前記第１方向側が外部に開放されている第１段差面と、前記第２光が前記第２意匠に入射する第２方向の延長線上に配置され、かつ、前記第２方向に交差し、かつ、前記第２方向側が外部に開放されている第２段差面と、を有してもよい。
【００２３】
このため、第１意匠に入射した光のうち、第１意匠に反射されなかった光が出射部の端部において第１方向とは異なる方向に反射されることを低減できる。同様に、第２意匠に入射した光のうち、第２意匠に反射されなかった光が出射部の端部において第２方向とは異なる方向に反射されることを低減できる。これにより、第１意匠及び第２意匠の表示には関係しない光が出射部内に留まることを低減でき、第１意匠及び第２意匠の１つを選択的に表示しているときに、他の部位が光って表示されることを低減できる。
【００２４】
また、前記出射部は、前記第１方向及び前記第２方向に交差する第３方向に、複数の前記第１段差面と複数の前記第２段差面とが交互に並んで配置されていてもよい。
【００２５】
これによれば、複数の第１段差面と複数の第２段差面とを同じ第３方向に並んで配置するため、出射部のうちの限られた領域に複数の第１段差面と複数の第２段差面とを配置できる。このため、より効果的に、第１意匠及び第２意匠の表示には関係しない光が出射部内に留まることを低減でき、第１意匠及び第２意匠の１つを選択的に表示しているときに、他の部位が光って表示されることを低減できる。
【００２６】
また、前記第１段差面及び前記第２段差面は、黒色に着色されていてもよい。
【００２７】
このため、第１段差面及び第２段差面で第１光又は第２光が反射されることを低減できる。このため、より効果的に、第１意匠及び第２意匠の表示には関係しない光が出射部内に留まることを低減でき、第１意匠及び第２意匠の１つを選択的に表示しているときに、他の部位が光って表示されることを低減できる。
【００２８】
また、前記スイッチと、前記第１光源と、前記第２光源とは、同一の配線基板に実装されていてもよい。
【００２９】
このため、簡単な構成で、スイッチと、第１光源と、第２光源とを配置することができる。また、入力装置をコンパクトな構成とすることが容易にできる。
【００３０】
以下、本発明の一態様に係る入力装置について、図面を参照しながら具体的に説明する。
【００３１】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３２】
（実施の形態）
［１−１．ステアリング入力装置の構成］
まず、図１及び図２を参照しながら、実施の形態に係るステアリング入力装置２の構成について説明する。図１は、実施の形態に係るステアリング入力装置２が配置された車両の車室の一例を示す図である。図２は、実施の形態に係るステアリング入力装置２の使用例を示す図である。
【００３３】
図１に示す自動車４（車両の一例）の車室には、ステアリング入力装置２及び車載機器６が搭載されている。実施の形態に係るステアリング入力装置２は、ステアリングホイール８及び入力装置１００を備えている。
【００３４】
ステアリングホイール８は、自動車４を操舵するためのものである。ステアリングホイール８は、リング形状を有するリム１２と、リム１２の内周面に一体的に形成された略Ｔ字状のスポーク１４と、スポーク１４の中央部に配置されたホーンスイッチ（図示せず）を覆うホーンスイッチカバー１６とを有している。
【００３５】
入力装置１００は、車載機器６を操作するためのものであり、例えばステアリングホイール８のスポーク１４に配置されている。図２に示すように、ユーザである運転者は、リム１２を握っている右手の指１８（操作物体の一例）で入力装置１００に対して入力を行うことにより、車載機器６を操作することができる。入力装置１００の構成については後で詳述する。
【００３６】
車載機器６は、例えばコンパクトディスク等の光ディスクを再生するためのオーディオ機器である。車載機器６は、例えばダッシュボード２０内に配置されている。車載機器６の構成については後で詳述する。
【００３７】
［１−２．入力装置の構成］
次に、図３〜図９を参照しながら、実施の形態に係る入力装置１００の構成について説明する。図３は、実施の形態に係る入力装置１００の外観斜視図である。図４は、実施の形態に係る入力装置１００を前側から見た正面図である。図５は、実施の形態に係る入力装置１００の分解斜視図である。図６は、図４のＶＩ−ＶＩ断面図である。図７は、図４のＶＩＩ−ＶＩＩ断面図である。図８は、図４のＶＩＩＩ−ＶＩＩＩ断面図である。図９は、図４のＩＸ−ＩＸ断面図である。
【００３８】
図３〜図９に示すように、実施の形態に係る入力装置１００は、筐体１１１と、第１操作部１１２と、導光体１１３と、第１支持部１１４と、軸体１１５と、第２操作部１１６と、第２支持部１１７と、基板１１８とを備える。
【００３９】
筐体１１１は、入力装置１００の前面側（Ｚ軸方向プラス側）を覆う部材である。
【００４０】
第１操作部１１２は、運転者により操作されることにより、背面側（Ｚ軸方向マイナス側）に設けられる基板１１８に実装されている４つのスイッチ１５１〜１５４のいずれかを選択的に押圧する部材である。第１操作部１１２は、第１支持部１１４、軸体１１５及び第２支持部１１７により２軸で揺動可能に支持されている。具体的には、第１操作部１１２は、Ｘ軸方向及びＹ軸方向に平行な方向を軸として揺動可能に支持されている。
【００４１】
例えば、第１操作部１１２のＹ軸方向マイナス側の部位１２５が運転者によって押された場合に、当該部位１２５が軸体１１５のＸ軸方向に平行な第１軸を中心に揺動し、基板１１８の当該部位１２５に対応する位置に配置されているスイッチ１５１を押圧する。また、第１操作部１１２は、第１操作部１１２のＸ軸方向プラス側の部位１２６が運転者によって押された場合に、当該部位１２６が軸体１１５のＹ軸方向に平行な第２軸を中心に揺動し、基板１１８の当該部位１２６に対応する位置に配置されているスイッチ１５２を押圧する。なお、同様に、第１操作部１１２のＹ軸方向プラス側の部位１２７が押された場合は、当該部位１２７に対応する位置に配置されているスイッチ１５３を押圧し、第１操作部１１２のＸ軸方向マイナス側の部位１２８が押圧された場合は、当該部位１２８に対応する位置に配置されているスイッチ１５４を押圧する。
【００４２】
導光体１１３は、基板１１８に実装されている光源１６１〜１６４から発光された光を、スイッチ１５１からスイッチ１５１の押圧方向とは反対方向に向けて光を導く。導光体１１３は、具体的には、基板１１８の前側に、４つのスイッチ１５１〜１５４に対応して４つ設けられている。導光体１１３は、透明な材料により構成されており、例えば、アクリル樹脂や、ポリカーボネート樹脂等により構成される。導光体１１３の具体的な構成については後述する。
【００４３】
第１支持部１１４は、第１操作部１１２及び導光体１１３を支持する部材である。また、第１支持部１１４は、軸体１１５を第２軸で揺動可能に支持している。
【００４４】
第２支持部１１７は、第２操作部１１６を支持する部材である。また、第２支持部１１７は、軸体１１５を第１軸で揺動可能に支持している。
【００４５】
第１支持部１１４と第２支持部１１７とは互いに干渉しないように配置されている。このため、第１支持部１１４は、第２支持部１１７に対して軸体１１５を介することで、２軸に揺動することができる。よって、第１操作部１１２は、２軸に揺動することができる。
【００４６】
第２操作部１１６は、第２支持部１１７に対してＺ軸方向にスライド可能に支持されており、Ｚ軸方向マイナス側に押された場合、基板１１８の中央に配置されるスイッチ１５５を押圧する。
【００４７】
第１支持部１１４、軸体１１５、第２操作部１１６及び第２支持部１１７は、例えば、不透明な樹脂により構成されている。
【００４８】
基板１１８は、複数のスイッチ１５１〜１５５と、光源としての複数の光源１６１〜１６５とを有する配線基板である。複数のスイッチ１５１〜１５５及び複数の光源１６１〜１６５は、基板１１８の前面側（Ｚ軸方向プラス側）の主面に実装されている。このため、簡単な構成で、複数のスイッチ１５１〜１５５と、複数の光源１６１〜１６５とを配置することができる。
【００４９】
複数のスイッチ１５１〜１５５のそれぞれは、押圧されることによりオンオフを切り替えるスイッチである。具体的には、複数のスイッチ１５１〜１５５のそれぞれは、押圧されることにより、予め設定されている機能のオンオフを切り替えるスイッチである。
【００５０】
複数の光源１６１〜１６４は、４つの導光体１１３に対応して配置され、１つの導光体１１３に対応する２つの第１光源及び第２光源を有する。つまり、光源１６１は、第１光源１６１ａ及び第２光源１６１ｂを有する。光源１６２は、第１光源１６２ａ及び第２光源１６２ｂを有する。光源１６３は、第１光源１６３ａ及び第２光源１６３ｂを有する。光源１６４は、第１光源１６４ａ及び第２光源１６４ｂを有する。同様に、光源１６５は、第２操作部１１６に光を導く、図示しない導光体に対応して配置され、当該導光体に対応する２つの第１光源１６５ａ及び第２光源１６５ｂを有する。複数の光源１６１〜１６５のそれぞれは、例えば、ＬＥＤ（Ｌｉｇｈｔ  Ｅｍｉｔｔｉｎｇ  Ｄｉｏｄｅ）により構成されている。
【００５１】
また、複数のスイッチ１５１〜１５５は、基板１１８の主面の互いに異なる位置に配置されている。同様に、複数の光源１６１〜１６５は、基板１１８の主面の互いに異なる位置に配置されている。さらに、第１光源１６１ａ〜１６５ａと、第２光源１６１ｂ〜１６５ｂとは、基板１１８の主面の互いに異なる位置に配置されている。
【００５２】
なお、第１操作部１１２は、透光性を有する材料により構成されており、例えば、樹脂により構成されている。第１操作部１１２は、スモークに着色されていることが好ましい。これにより、基板１１８に実装されている光源１６１〜１６５が発光している場合には、導光体１１３に形成されている第１意匠１４１及び第２意匠１４２が発光している光をＺ軸方向プラス側に出射させることができ、当該光源１６１〜１６５が発光していない場合には、内部の部品が運転者によって視認される可能性を低減させることができる。
【００５３】
［１−３．導光体の構成］
次に、図１０〜図１３を参照しながら、実施の形態に係る導光体１１３の構成について説明する。図１０は、第１意匠が表示されているときの導光体１１３をＺ軸方向プラス側から見た正面図である。図１１は、第１意匠が表示されているときの第１導光体１２１と第１光源１６１ａ及び第２光源１６１ｂとの関係を示す斜視図である。図１２は、第２意匠が表示されているときの導光体１１３をＺ軸方向プラス側から見た正面図である。図１３は、第２意匠が表示されているときの第１導光体１２１と第１光源１６１ａ及び第２光源１６１ｂとの関係を示す斜視図である。
【００５４】
図１０及び図１２に示すように、導光体１１３は、第１導光体１２１と、第２導光体１２２と、第３導光体１２３と、第４導光体１２４とを有する。第１導光体１２１はＹ軸方向マイナス側に配置され、第２導光体１２２はＸ軸方向プラス側に配置され、第３導光体１２３はＹ軸方向プラス側に配置され、第４導光体１２４はＸ軸方向マイナス側に配置されている。
【００５５】
図１０に示すように、各導光体１２１〜１２４には、第１意匠１４１が形成されている。第１意匠１４１は、各導光体１２１〜１２４が配置されている方向を指す鉤状の形状を有する。つまり、第１意匠１４１は、Ｘ軸方向両側及びＹ軸方向両側を指す、十字キーを示す形状を有する。また、図１２に示すように、各導光体１２１〜１２４には、第２意匠１４２が形成されている。第２意匠１４２は、第１意匠１４１とは異なる形状を有する。第２意匠１４２は、例えば、曲送り、曲戻し、音量増加、又は音量減少を示す形状を有する。なお、第１意匠１４１及び第２意匠１４２は、互いに異なる形状であれば、どのような形状を有していてもよい。
【００５６】
次に、第１導光体１２１の形状について、図１１及び図１３を用いて説明する。なお、第２導光体１２２、第３導光体１２３及び第４導光体１２４は、第１意匠１４１及び第２意匠１４２の少なくとも一方が異なるだけであり、第１導光体１２１と同様の形状であるため、説明を省略する。
【００５７】
図１１及び図１３に示すように、第１導光体１２１は、出射部１３１と、第１導光脚部１３２と、第２導光脚部１３３とを有する。
【００５８】
出射部１３１は、スイッチ１５１の反対方向側（Ｚ軸方向プラス側）に設けられ、第１光源１６１ａ又は第２光源１６１ｂにより発光された光をＺ軸方向プラス側に向けて出射する。出射部１３１は、平板状の部位であり、Ｘ−Ｙ平面に略平行に配置されている。出射部１３１は、第１意匠１４１と、第２意匠１４２とを有する。第１意匠１４１は、第１光源１６１ａにより発光された第１光をＺ軸方向プラス側に向けて反射することで発光する。第２意匠１４２は、第２光源１６１ｂにより発光された第２光をＺ軸方向プラス側に向けて反射することで発光する。また、第１意匠１４１と第２意匠１４２との少なくとも一部は、後述する図１４に示すように、互いに重なるように形成されている。
【００５９】
第１導光脚部１３２は、出射部１３１に接続され、第１光源１６１ａにより発光された第１光を出射部１３１に導く。第１導光脚部１３２は、板状の部位であり、第１反射面１３４を有する。第１反射面１３４は、第１導光脚部１３２の厚み方向に平行な面であって、第１光を反射する。第１反射面１３４は、Ｚ軸方向（押圧方向）から見て、Ｚ軸方向に傾いて配置される、第１導光脚部１３２の側面であってもよい。第１反射面１３４は、第１光源１６１ａのＺ軸方向プラス（押圧方向の反対方向）側に配置されていてもよい。第１反射面１３４は、平面であってもよいし、曲面であってもよい。
【００６０】
また、第１導光脚部１３２は、具体的には、出射部１３１のＹ軸方向マイナス側の端部から、所定の角度で曲がっている曲面部分１３１ａを介して、第１光源１６１ａに向かってＺ軸方向に略平行に延びている部位である。つまり、第１導光脚部１３２は、出射部１３１に対して曲面部分１３１ａにより接続されている。
【００６１】
第２導光脚部１３３は、出射部１３１に接続され、第２光源１６１ｂにより発光された第２光を出射部１３１に導く。第２導光脚部１３３は、板状の部位であり、第２反射面１３５を有する。第２反射面１３５は、第２導光脚部１３３の厚み方向に平行な面であって、第２光を反射する。第２反射面１３５は、Ｚ軸方向（押圧方向）から見て、Ｚ軸方向に傾いて配置される、第２導光脚部１３３の側面であってもよい。第２反射面１３５は、第２光源１６１ｂのＺ軸方向プラス（押圧方向の反対方向）側に配置されていてもよい。第２反射面１３５は、平面であってもよいし、曲面であってもよい。
【００６２】
第２導光脚部１３３は、具体的には、出射部１３１のＹ軸方向マイナス側の端部から、所定の角度で曲がっている曲面部分１３１ａを介して、第２光源１６１ｂに向かってＺ軸方向に略平行に延びている部位である。つまり、第２導光脚部１３３は、出射部１３１に対して曲面部分１３１ａにより接続されている。
【００６３】
このように、第１導光脚部１３２及び第２導光脚部１３３は、同じ曲面部分１３１ａにより、出射部１３１に接続されている。よって、第１導光脚部１３２と、第２導光脚部１３３とは、略同一面上に配置される。このため、第１導光脚部１３２および第２導光脚部１３３は、出射部１３１に対して同じ側（つまりＹ軸方向マイナス側）に配置されることになる。これにより、第１導光体１２１のＹ軸方向の幅が小さくなるので、入力装置１００のコンパクト化が可能となる。
【００６４】
また、第１導光脚部１３２の第１反射面１３４と、第２導光脚部１３３の第２反射面１３５とは、Ｚ軸方向マイナス側に向かうほど、互いに離れる方向に傾いて配置される。また、第１反射面１３４は、Ｚ軸方向プラス側およびＸ軸方向プラス側に対して開放されている面である。第２反射面１３５は、Ｚ軸方向プラス側およびＸ軸方向マイナス側に開放されている面である。
【００６５】
ここで、上述したように、各導光体１２１〜１２４は、４つの光源１６１〜１６４のそれぞれが有する第１光源１６１ａ〜１６４ａ及び第２光源１６１ｂ〜１６４ｂにまたがって配置されている。つまり、各導光体１２１〜１２４は、複数の光源１６１〜１６４のそれぞれについて、第１光源１６１ａ〜１６４ａ及び第２光源１６１ｂ〜１６４ｂによる光を選択的に点灯させることにより、第１光源１６１ａ〜１６４ａの第１光によって第１意匠１４１を表示させたり、第２光源１６１ｂ〜１６４ｂの第２光によって第２意匠１４２を表示させたりすることができる。
【００６６】
本実施の形態では、入力装置１００は、複数の動作モードで動作する。例えば、入力装置１００は、第１動作モードとしてのメニュー選択モードと、第２動作モードとしての音楽プレイヤーモードとの２種類の動作モードで動作する。入力装置１００は、所定の切り替え手段によって切り替えられた動作モードに応じて、複数のスイッチ１５１〜１５５のそれぞれに予め設定されている機能が切り替えられる。所定の切り替え手段は、他のスイッチのオンオフや、音声認識、ジェスチャ認識など様々な切り替え手段が考えられる。
【００６７】
また、入力装置１００では、動作モードに応じて、割り当てられる複数のスイッチへの機能と、光源の各組が発光する機能とが対応している。例えば、第１動作モードにおいては、複数のスイッチ１５１〜１５５は、メニューを選択するために選択されている項目を移動させるための十字キーと、選択されている項目を設定させるための決定キーとして機能する。また、第２動作モードにおいては、複数のスイッチ１５１〜１５５は、音楽プレイヤーの曲送り、曲戻し、音量増加、音量減少、再生／停止などのキーとして機能する。
【００６８】
そこで、本実施の形態では、動作モードに応じて、第１光源１６１ａ〜１６４ａ及び第２光源１６１ｂ〜１６４ｂのうちの１つを選択的に点灯させることで、第１動作モードでは、第１意匠１４１が表示されるようにし、第２動作モードでは、第２意匠１４２が表示されるようにしている。同様にして、動作モードに応じて、第１光源１６５ａ及び第２光源１６５ｂのうちの１つを選択的に点灯させることで、第２操作部１１６に、第１動作モードでは、第１意匠が表示されるようにし、第２動作モードでは、第１意匠とは異なる第２意匠が表示されるようにしてもよい。
【００６９】
具体的には、複数の光源１６１〜１６５は、複数の光源１６１〜１６５のそれぞれが有する第１光源１６１ａ〜１６５ａ及び第２光源１６１ｂ〜１６５ｂの組において、第１光源１６１ａ〜１６５ａが点灯している状態のときは、第２光源１６１ｂ〜１６５ｂが消灯している状態となり、第２光源１６１ｂ〜１６５ｂが点灯しているときは、第１光源１６１ａ〜１６５ａが消灯している状態となる。つまり、動作モードが第１動作モードであるか第２動作モードであるかに応じて、第１光源１６１ａ〜１６５ａが点灯しており、かつ、第２光源１６１ｂ〜１６５ｂが消灯している第１状態と、第２光源１６１ｂ〜１６５ｂが点灯しており、かつ、第１光源１６１ａ〜１６５ａが消灯している第２状態とのいずれかに選択的に遷移する。本実施の形態では、複数のスイッチ１５１〜１５５の動作モードが第１動作モードである場合に、複数の光源１６１〜１６５は、第１意匠１４１を表示させる第１状態となる。複数のスイッチ１５１〜１５５の動作モードが第２動作モードである場合に、複数の光源１６１〜１６５は、第２意匠１４２を表示させる第２状態となる。
【００７０】
なお、外部のスイッチなどにより、複数のスイッチ１５１〜１５５がオフの状態となっていれば複数の光源１６１〜１６５の全てが消灯している状態となっていてもよい。
【００７１】
図１１に示すように、第１光源１６１ａからの第１光は、第１導光脚部１３２をＺ軸方向プラス側（第３方向Ｄ３）に進行し、第１反射面１３４及び曲面部分１３１ａにおいて反射されながら出射部１３１に平行な方向に曲げられて、出射部１３１に入射する。また、図１３に示すように、第２光源１６１ｂからの第２光は、第２導光脚部１３３をＺ軸方向プラス側（第４方向Ｄ４）に進行し、第２反射面１３５及び曲面部分１３１ａにおいて反射されながら出射部１３１に平行な方向に曲げられて、出射部１３１に入射する。
【００７２】
次に、第１導光脚部１３２及び第２導光脚部１３３によって出射部１３１に導かれた第１光及び第２光は、出射部１３１において、それぞれ第１意匠１４１及び第２意匠１４２に向かって進行する。このとき出射部１３１に入射した第１光及び第２光は、第１導光脚部１３２及び第２導光脚部１３３において迷光を抑制するための工夫がされていても、出射部１３１において第１意匠１４１及び第２意匠１４２を表示することに寄与しない迷光が発生する可能性がある。このため、出射部１３１において迷光が発生することを抑制するために以下に説明する構成を有していることが好ましい。上記構成について、図１４及び図１５を用いて説明する。
【００７３】
図１４は、第１光源１６１ａ及び第２光源１６１ｂから発光された光の、第１導光体１２１の出射部１３１における経路を説明するための図である。図１５は、出射部１３１のうちの第１意匠１４１の一部を拡大した図である。
【００７４】
図１４に示すように、第１導光脚部１３２によって出射部１３１に導かれた第１光が第１意匠１４１に入射する第１方向Ｄ１と、第２導光脚部１３３によって出射部１３１に導かれた第２光が第２意匠１４２に入射する第２方向Ｄ２とは、互いに交差している。具体的には、第１方向Ｄ１と第２方向Ｄ２とは、略直交している。
【００７５】
また、図１５に示すように、第１意匠１４１は、第１方向Ｄ１に交差する第２方向Ｄ２に略平行な複数の傾斜面１４１ａにより構成されている。また、図示しないが、第２意匠１４２は、第１方向Ｄ１に略平行な複数の傾斜面により構成されている。これにより、第１意匠１４１は、第１方向Ｄ１に進む第１光を反射して、第２方向Ｄ２に進む第２光を反射しにくい構成である。また、第２意匠１４２は、第２方向Ｄ２に進む第２光を反射して、第１方向Ｄ１に進む第１光を反射しにくい構成である。
【００７６】
このように、第１方向Ｄ１と第２方向Ｄ２とは互いに交差しているため、第１光が第２意匠１４２に反射されること、または、第２光が第１意匠１４１に反射されることを低減することができる。つまり、第１意匠１４１又は第２意匠１４２が対応していない光を反射することによって、表示させようとしていない方の意匠がわずかに表示されてしまうことを低減することができる。
【００７７】
また、出射部１３１は、第１段差面１３６と、第２段差面１３７とを有する。第１段差面１３６は、第１光が第１意匠１４１に入射する第１方向Ｄ１の延長線上に配置され、かつ、第１方向Ｄ１に交差し、かつ、第１方向Ｄ１側が外部に開放されている面である。第２段差面１３７は、第２光が第２意匠１４２に入射する第２方向Ｄ２の延長線上に配置され、かつ、第２方向Ｄ２に交差し、かつ、第２方向Ｄ２側が外部に開放されている面である。
【００７８】
このため、第１意匠１４１に入射した光のうち、第１意匠１４１に反射されなかった光が出射部１３１のＹ軸方向プラス側の端部において第１方向Ｄ１とは異なる方向に反射されることを低減できる。同様に、第２意匠１４２に入射した光のうち、第２意匠１４２に反射されなかった光が出射部１３１のＹ軸方向プラス側の端部において第２方向Ｄ２とは異なる方向に反射されることを低減できる。これにより、第１意匠１４１及び第２意匠１４２の表示には関係しない光が出射部１３１内に留まることを低減でき、第１意匠１４１及び第２意匠１４２の１つを選択的に表示しているときに、出射部１３１の他の部位が光って表示されることを低減できる。
【００７９】
また、第１段差面１３６は、複数形成されており、複数の第１段差面１３６は、第１方向Ｄ１及び第２方向Ｄ２に交差する第５方向Ｄ５（Ｘ軸方向）の異なる位置に配置されている。同様に、第２段差面１３７は、複数形成されており、複数の第２段差面１３７は、Ｘ軸方向の異なる位置に配置されている。そして、複数の第１段差面１３６のそれぞれと、複数の第２段差面１３７のそれぞれとは、Ｘ軸方向に並んで交互に配置されている。
【００８０】
このように、複数の第１段差面１３６のそれぞれと複数の第２段差面１３７のそれぞれとを同じＸ軸方向に交互に並んで配置するため、出射部１３１のうちの限られた領域に複数の第１段差面１３６と複数の第２段差面１３７とを配置できる。このため、より効果的に、第１意匠１４１及び第２意匠１４２の表示には関係しない光が出射部１３１内に留まることを低減でき、第１意匠１４１及び第２意匠１４２の１つを選択的に表示しているときに、他の部位が光って表示されることを低減できる。
【００８１】
また、第１段差面１３６及び第２段差面１３７は、黒色に着色されていることが好ましい。このため、第１段差面１３６及び第２段差面１３７で第１光又は第２光が反射されることを低減できる。このため、より効果的に、第１意匠１４１及び第２意匠１４２の表示には関係しない光が出射部１３１内に留まることを低減でき、第１意匠１４１及び第２意匠１４２の１つを選択的に表示しているときに、他の部位が光って表示されることを低減できる。
【００８２】
［１−４．効果］
本実施の形態に係る入力装置１００によれば、光を反射することで発光する第１意匠１４１及び第２意匠１４２について、それぞれ、対応する意匠に光を導く第１導光脚部１３２及び第２導光脚部１３３と、対応する導光脚部に光を発光する第１光源１６１ａ及び第２光源１６１ｂとを設けている。このため、第１光源１６１ａ及び第２光源１６１ｂのうちのいずれかを選択的に発光させることにより、２つの意匠である第１意匠１４１及び第２意匠１４２を選択的に表示させることができる。
【００８３】
また、第１導光脚部１３２と第２導光脚部１３３とは、略同一面上に配置されているため、導光体１１３から筐体１１１までの間の距離を短く構成できる。つまり、入力装置１００の構成をコンパクトにすることができる。この理由について図１６及び図１７を用いて説明する。
【００８４】
図１６は、第１導光脚部２３２と第２導光脚部２３３とが略同一面上に配置されていない構成の導光体２２１と、第１光源２６１ａ及び第２光源２６１ｂとの関係を示す図である。図１７は、導光体２２１及び筐体２１１までの距離Ｗ２と第２導光体１２２及び筐体１１１までの距離Ｗ１とを比較するための図である。なお、以下では、第１導光体１２１の代わりに、第１導光体１２１と同じ構成を有する第２導光体１２２を用いて説明する。
【００８５】
図１６に示す導光体２２１は、上記実施の形態の第２導光体１２２と同様に、出射部２３１と、第１導光脚部２３２と、第２導光脚部２３３とを有する。ここで、図１６の（ａ）はＺ軸方向プラス側から見たときの上面図、図１６の（ｂ）は斜視図である。出射部２３１は、上記実施の形態の出射部１３１と同様に、図１５に示す第１意匠１４１及び第２意匠１４２を有する。なお、図１６の（ａ）では第２意匠２４２のみを示し、第１意匠を省略している。そして、導光体２２１では、第１導光脚部２３２から導かれる第１光源２６１ａの第１光と、第２導光脚部２３３から導かれる第２光源２６１ｂの第２光とは、出射部２３１において直交する。このため、上記実施の形態の第２導光体１２２の出射部１３１と同様に、第１光源２６１ａ及び第２光源２６１ｂを選択的に発光させることで、図示しない第１意匠（図１５の第１意匠１４１に相当）及び第２意匠２４２を選択的に発光させることができる構成となっている。
【００８６】
しかしながら、導光体２２１の第１導光脚部２３２及び第２導光脚部２３３は、互いに交差する姿勢で配置されている点で、上記実施の形態の第２導光体１２２と異なる。つまり、第１導光脚部２３２及び第２導光脚部２３３は、略同一面上に配置されていない。
【００８７】
このように第１導光脚部２３２及び第２導光脚部２３３が略同一面上に配置されていない導光体２２１は、図１７の（ａ）に示すように、第１導光脚部２３２及び第２導光脚部２３３が交差する姿勢で配置されている。このため、Ｘ軸方向プラス側に配置される導光体２２１は、第１導光脚部２３２及び第２導光脚部２３３が筐体２１１のＸ軸方向プラス側の壁に対して斜め方向に対向する姿勢で配置されることになる。よって、出射部２３１の位置が筐体２１１のＸ軸方向プラス側の壁から遠ざかることとなり、第２意匠２４２は、筐体２１１のＸ軸方向プラス側の壁から距離Ｗ２の位置に位置することになる。
【００８８】
一方で、図１７の（ｂ）に示すように、上記実施の形態の第２導光体１２２は、第１導光脚部１３２及び第２導光脚部１３３が略同一面上に配置されている。このため、第１導光脚部１３２及び第２導光脚部１３３が筐体１１１のＸ軸方向プラス側の壁に対して平行な姿勢となるように、Ｘ軸方向プラス側に配置される第２導光体１２２を配置することができる。また、第１導光脚部１３２から筐体１１１のＸ軸方向プラス側の壁までの距離と、第２導光脚部１３３から筐体１１１のＸ軸方向プラス側の壁までの距離とを略等しくすることができる。よって、出射部１３１の位置を筐体１１１のＸ軸方向プラス側の壁に近づけることができ、第２意匠１４２は、筐体１１１のＸ軸方向プラス側の壁から距離Ｗ２よりも短い距離Ｗ１の位置に位置することができる。
【００８９】
上記のことは、各導光体１２１〜１２４のそれぞれについて同様に言える。つまり、各導光体１２１〜１２４のそれぞれについて、第１導光脚部１３２及び第２導光脚部１３３が略同一面上に配置されている構成であるため、各意匠の位置から筐体１１１のＸ軸方向及びＹ軸方向の外側の壁までの距離を短くできる。よって、入力装置１００の構成をコンパクトにすることができる。
【００９０】
（変形例）
上記実施の形態では、第３方向Ｄ３及び第４方向Ｄ４は、Ｚ軸方向に略平行な方向であり略等しい方向であるが、互いに異なる方向であってもよい。つまり、第１導光脚部１３２と第２導光脚部１３３とは、Ｚ軸方向に略平行な方向に延びているとしたが、互いに交差する方向に延びている構成としてもよい。
【００９１】
上記実施形態では、各導光体１２１〜１２４を全て図１７の（ｂ）に示す構成としたが、任意の個数の導光体を図１７の（ｂ）に示す構成とし、残りの導光体を例えば図１７の（ａ）に示す構成としてもよい。
【００９２】
以上、本発明の一つまたは複数の態様に係る入力装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【００９３】
本発明は、コンパクトな構成で、２つの意匠の選択的な表示を効果的に実現することができる入力装置などとして有用である。
【符号の説明】
【００９４】
２  ステアリング入力装置
４  自動車
６  車載機器
８  ステアリングホイール
１２  リム
１４  スポーク
１６  ホーンスイッチカバー
１８  指
２０  ダッシュボード
１００  入力装置
１１１  筐体
１１２  第１操作部
１１３、２２１  導光体
１１４  第１支持部
１１５  軸体
１１６  第２操作部
１１７  第２支持部
１１８  基板
１２１  第１導光体
１２２  第２導光体
１２３  第３導光体
１２４  第４導光体
１３１、２３１  出射部
１３２、２３２  第１導光脚部
１３２ａ  曲面部分
１３３、２３３  第２導光脚部
１３３ａ  曲面部分
１３４  第１反射面
１３５  第２反射面
１３６  第１段差面
１３７  第２段差面
１４１  第１意匠
１４１ａ  傾斜面
１４２  第２意匠
１５１〜１５５  スイッチ
１６１〜１６４  光源
１６１ａ〜１６５ａ  第１光源
１６１ｂ〜１６５ｂ  第２光源
Ｄ１、Ｄ１１  第１方向
Ｄ２、Ｄ１２  第２方向
Ｄ３  第３方向
Ｄ４  第４方向
Ｄ５  第５方向
【図１】
2018056008.tif 000003
【図２】
2018056008.tif 000004
【図３】
2018056008.tif 000005
【図４】
2018056008.tif 000006
【図５】
2018056008.tif 000007
【図６】
2018056008.tif 000008
【図７】
2018056008.tif 000009
【図８】
2018056008.tif 000010
【図９】
2018056008.tif 000011
【図１０】
2018056008.tif 000012
【図１１】
2018056008.tif 000013
【図１２】
2018056008.tif 000014
【図１３】
2018056008.tif 000015
【図１４】
2018056008.tif 000016
【図１５】
2018056008.tif 000017
【図１６】
2018056008.tif 000018
【図１７】
2018056008.tif 000019